(57)【特許請求の範囲】
【請求項１】
コードレス電話の親機とパソコンをデータ通信手段で接続し、子機に電子メール着信の有無を表示するＬＥＤを設け、パソコンが電子メールを受信したら子機のＬＥＤを点灯させるコードレス電話システムであって、前記パソコンは設定された時間が経過したら公衆回線に接続する制御手段とテキストデータを音声データに変換する音声変換手段とを有し、前記親機は音声データを保存する音声保存手段と前記音声データを再生する音声再生手段とを有し、前記制御手段が前記パソコンを公衆回線に接続し電子メールを受信した場合、前記パソコンが前記音声変換手段でテキストデータを音声データに変換し前記親機に送信して前記音声データを前記音声保存手段で保存し、前記子機が再生要求を送信した場合、前記親機が前記音声再生手段で前記音声保存手段に保存する音声データを再生して子機に送信するとともに、前記親機が第２の電話機より暗証番号を受信した場合、前記親機が前記音声再生手段で前記音声保存手段に保存する音声データを再生して前記公衆回線に送出することを特徴とするコードレス電話システム。
【発明の詳細な説明】
【０００１】
【発明の属する技術分野】
本発明は、パソコンで受信した電子メールの受信確認を行うことができるコードレス電話システムに関するものである。
【０００２】
【従来の技術】
現在、パソコンを使った電子メールの送受信は、時間を設定すればその時間毎に自動的にプロバイダに接続し、電子メールを取得している。すなわちユーザは、パソコンにあらかじめメールを取得する時間を設定する。パソコンは設定された時間になったらプロバイダにダイヤルし、回線を接続する。プロバイダとの回線が接続されたら、メールが届いているか否かを調べ、自分宛のメールが届いていればそのメールのデータを取得し、メール記憶手段に保存する。
【０００３】
【発明が解決しようとする課題】
しかしながら従来では、パソコンが自動的に電子メールを受信しても、ユーザが電子メールを受信したことを確認するためには、ユーザ自身がパソコンのあるところへ行ってディスプレイを見なければならないという問題を有している。
【０００４】
【課題を解決するための手段】
本発明のコードレス電話システムは、親機にパソコンとコマンドやデータのやり取りを行うための通信手段を、子機に電子メールの受信状態を表示するＬＥＤを設けて、パソコンが電子メールを受信したときに子機のＬＥＤを点灯させたり、ベルを鳴らすように構成した。また、パソコンにテキストデータを音声データに変換する手段を設け、受信した電子メールやアドレスを音声に変換して子機で内容を確認できるように構成した。
【０００５】
【発明の実施の形態】
（実施の形態１）
以下、本発明の実施の形態１について、図４１のシステム構成図と、図１、図２、図３の機能ブロック図と、図２１、図２２、図２３のフローチャートを用いて説明する。
【０００６】
図４１は本発明のシステム構成図である。図４１において、４００公衆回線である。４０１はパソコン（ＰＣ）である。４０２はコードレス電話の親機、４０３はコードレス電話の子機である。パソコン４０１と親機４０２はともに公衆回線４００に接続されている。またパソコン４０１と親機４０２の間には有線のデータ通信手段が設けられている。親機４０２と子機４０３は無線通信が可能である。
【０００７】
図１は実施の形態１記載のコードレス電話システムにおけるパソコン（図４１のパソコン４０１）の機能ブロック図である。図１において１はパソコンの動作を制御するＰＣ制御手段、２は公衆回線とのインターフェース、３は電子メールをプロバイダから取得するメール受信手段、４は受信したメールを保存するメール記憶手段、５はコードレス電話の親機とデータのやり取りを行うデータ通信手段である。
【０００８】
図２は実施の形態１記載のコードレス電話システムにおけるコードレス電話の親機（図４１の親機４０２）の機能ブロック図である。図２において６は親機の動作を制御する親機制御手段、７はパソコンとのデータのやり取りを行うデータ通信手段、８は公衆回線とのインターフェース、９は着信が電話であるかパソコンからのデータであるかを検出する着信ソース検出手段、１０はデータや音声を無線で送受信する無線部である。
【０００９】
図３は実施の形態１記載のコードレス電話システムにおけるコードレス電話の子機（図４１の子機４０３）の機能ブロック図である。図３において１１は子機の動作を制御する子機制御手段、１２はデータや音声を無線で送受信する無線部、１３はマイク等の音声入力手段、１４はスピーカ等の音声出力手段、１５は電子メールの受信を示すＬＥＤの点灯制御を行うＬＥＤ制御手段、１６は液晶等の表示手段、１７は電話番号等を入力するためのキー入力手段である。
【００１０】
以上のように構成されたコードレス電話システムにおいて図２１、図２２、図２３のフローチャートにしたがってその動作を説明する。図２１、図２２、図２３はそれぞれ実施の形態１記載のコードレス電話システムにおけるパソコン、親機、子機の動作フローチャートである。
【００１１】
まずユーザがパソコンにあらかじめメールを取得する時間を設定する。Ｓ１でＰＣ制御手段１はユーザが設定した時間経過するのを待つ。設定された時間が経過したら、Ｓ２でプロバイダにダイヤルし、回線を接続する。プロバイダとの回線が接続されたら、届いているメールがあればメール受信手段３でメールを取得し、Ｓ４で取得した電子メールをメール記憶手段４に保存し、Ｓ５で未読の電子メールがメール記憶手段に保存されていることをデータ通信手段５を使って親機へ通知する。未読メールの通知を行ったらＳ１に戻って設定された時間が経過するのを待つ。Ｓ３でメールが届いていなかったらＳ１へ戻って設定された時間が経過するのを待つ。Ｓ１で待機中にＳ６でユーザが受信したメールを読み出したら、メール記憶手段４に未読メールの有無をデータ通信手段５を使って親機へ通知し、Ｓ１に戻る。
【００１２】
親機制御手段６はＳ１１でパソコンからのデータの受信または公衆回線からの電話の着信し、Ｓ１２で着信ソース検出手段９がパソコンからのデータの受信であることを検出したら、Ｓ１３で受信したデータから未読メールの有無を認識してＳ１４でそのデータに応じたＬＥＤ点灯または消灯のコマンドを発行する。発行されたコマンドデータはＳ１５で無線部１０から無線データに変換して送信する。Ｓ１２で着信ソース検出手段９が公衆回線からの電話の着信であることを検出したら、Ｓ１６で電話の着信通知を子機に対して送信する。Ｓ１７で子機のオフフックを確認したら、回線を接続して通話状態にする。Ｓ１９でオンフックをを確認したら、回線を切断してＳ１１の待機状態に戻る。
【００１３】
子機制御手段１１はＳ２１で着信を検出したら、Ｓ２２でその着信がコマンドデータか電話かを検出して、親機からのコマンドデータであればＳ２３でそのコマンドを認識して、Ｓ２４でＬＥＤ制御手段１５によりＬＥＤを点灯または消灯する。Ｓ２２で電話の着信であることを検出したら、Ｓ２５でベルを鳴らしユーザに電話の着信を通知する。Ｓ２６でキー入力手段１７の通話キーが押されたことを検出したら、Ｓ２７で親機に通知し通話状態にする。Ｓ２８でキー入力手段１７の切キーが押されたことを検出したら、Ｓ２９で親機に通知し回線を切断し、Ｓ２１の着信待機状態に戻る。
【００１４】
（実施の形態２）
以下、本発明の実施の形態２について、図４、図５、図６の機能ブロック図と図２４、図２２、図２５のフローチャートを用いて説明する。
【００１５】
図４は実施の形態２記載のコードレス電話システムにおけるパソコンの機能ブロック図である。なお、本実施の形態の基本的なシステム構成は図４１に示す構成と同じである。
【００１６】
図４において２１はパソコンの動作を制御するＰＣ制御手段、２２は公衆回線とのインターフェース、２３は電子メールをプロバイダから取得するメール受信手段、２４は受信したメールを保存するメール記憶手段、２５はコードレス電話の親機とデータのやり取りを行うデータ通信手段、２６は受信した電子メールの重要度を検出する重要度検出手段である。
【００１７】
図５は実施の形態２記載のコードレス電話システムにおけるコードレス電話の親機の機能ブロック図である。図５において２７は親機の動作を制御する親機制御手段、２８は公衆回線とのインターフェース、２９はパソコンとのデータのやり取りを行うデータ通信手段、３０は着信が電話であるかパソコンからのデータであるかを検出する着信ソース検出手段、３１はデータや音声を無線で送受信する無線部、３２は受信した電子メールの重要度からＬＥＤの点灯パターンを選択するＬＥＤ点灯パターン選択手段である。
【００１８】
図６は実施の形態２記載のコードレス電話システムにおけるコードレス電話の子機の機能ブロック図である。図６において３３は子機の動作を制御する子機制御手段、３４はデータや音声を無線で送受信する無線部、３５はマイク等の音声入力手段、３６はスピーカ等の音声出力手段、３７は電子メールの受信を示すＬＥＤの点灯制御を行うＬＥＤ点灯制御手段、３８はＬＥＤの点灯パターンデータを記憶しておく点灯パターン記憶手段、３９は液晶等の表示手段、４０は電話番号等を入力するためのキー入力手段である。
【００１９】
図２４、図２２、図２５はそれぞれ実施の形態２記載のコードレス電話システムにおけるパソコン、親機、子機の動作フローチャートである。以上のように構成されたコードレス電話システムについて、これらのフローチャートにしたがってその動作を説明する。
【００２０】
まずユーザがパソコンにあらかじめメールを取得する時間を設定する。Ｓ３１でＰＣ制御手段２１はユーザが設定した時間経過するまで待機して待つ。設定された時間が経過したら、Ｓ３２でプロバイダにダイヤルし、回線を接続する。プロバイダとの回線が接続されたら、届いているメールがあればメール受信手段２３でメールを取得し、Ｓ３４で取得した電子メールをメール記憶手段２４に保存する。
【００２１】
Ｓ３５で重要度検出手段２６により受信した電子メールの重要度を検出し、Ｓ３６で未読の電子メールがメール記憶手段に保存されていることと、検出した重要度をデータ通信手段２５を使って親機へ通知する。未読メールの有無および重要度の通知を行ったら、Ｓ３１に戻って設定された時間が経過するのを待つ。Ｓ３３でメールが届いていなかったらＳ３１へ戻って設定された時間が経過するのを待つ。Ｓ３１で待機中にＳ３７でユーザが受信したメールを読み出したら、メール記憶手段２４に未読メールの有無をデータ通信手段５を使って親機へ通知し、Ｓ３１に戻る。
【００２２】
親機制御手段２７はＳ１１でパソコンからのデータの受信または公衆回線からの電話の着信をし、Ｓ１２で着信ソース検出手段３０がパソコンからのデータの受信であることを検出したら、Ｓ１３で受信したデータから未読メールの有無と重要度を認識してＳ１４でそのデータに応じたＬＥＤの点灯、消灯および点灯パターン選択のコマンドを発行する。発行されたコマンドデータはＳ１５で無線部３１から無線データに変換して送信する。Ｓ１２で着信ソース検出手段３０が公衆回線からの電話の着信であることを検出したら、Ｓ１６で電話の着信通知を子機に対して送信する。Ｓ１７で子機のオフフックを確認したら、回線を接続して通話状態にする。Ｓ１９でオンフックをを確認したら、回線を切断してＳ１１の待機状態に戻る。
【００２３】
子機制御手段３３はＳ４１で着信を検出したら、Ｓ４２でその着信がコマンドデータか電話かを検出して、親機からのコマンドデータであればＳ４３でそのコマンドからＬＥＤの点灯、消灯および点灯パターンを認識して、Ｓ４４で点灯パターンを点灯パターン記憶手段３８に記憶された点灯パターンから選択し、Ｓ４５でＬＥＤ点灯制御手段３７によりＬＥＤを選択したパターンで点灯または消灯する。Ｓ４２で電話の着信であることを検出したら、Ｓ４６でベルを鳴らしユーザに電話の着信を通知する。Ｓ４７でキー入力手段４０の通話キーが押されたことを検出したら、Ｓ４８で親機に通知し通話状態にする。Ｓ４９でキー入力手段４０の切キーが押されたことを検出したら、Ｓ５０で親機に通知し回線を切断し、Ｓ４１の着信待機状態に戻る。
【００２４】
（実施の形態３）
以下、本発明の実施の形態３について、図７、図８、図９の機能ブロック図と図２６、図２７、図２８のフローチャートを用いて説明する。
【００２５】
図７は実施の形態３記載のコードレス電話システムにおけるパソコンの機能ブロック図である。なお、本実施の形態の基本的なシステム構成も、図４１に示す構成と同じである。
【００２６】
図７において５１はパソコンの動作を制御するＰＣ制御手段、５２は公衆回線とのインターフェース、５３は電子メールをプロバイダから取得するメール受信手段、５４は受信したメールを保存するメール記憶手段、５５はコードレス電話の親機とデータのやり取りを行うデータ通信手段、５６は受信した電子メールから発信者のアドレスを検出する発信者検出手段、５７はテキストデータを音声データに変換する音声データ変換手段、５８はアドレス記憶手段５９に登録されたアドレスと受信メールから検出した発信者のアドレスを照合するアドレス照合手段、５９は予めアドレスとニックネームを保存しておくアドレス記憶手段である。
【００２７】
図８は実施の形態３記載のコードレス電話システムにおけるコードレス電話の親機の機能ブロック図である。図８において６０は親機の動作を制御する親機制御手段、６１はパソコンとのデータのやり取りを行うデータ通信手段、６２は公衆回線とのインターフェース、６３は着信が電話であるかパソコンからのデータであるかを検出する着信ソース検出手段、６４はパソコンから受信したデータが音声かデータかを識別する音声／データ識別手段、６５はデータや音声を無線で送受信する無線部である。
【００２８】
図９は実施の形態３記載のコードレス電話システムにおけるコードレス電話の子機の機能ブロック図である。図９において６４は子機の動作を制御する子機制御手段、６５はデータや音声を無線で送受信する無線部、６６はマイク等の音声入力手段、６７はスピーカ等の音声出力手段、６８は受信が音声かデータかを識別する音声／データ識別手段、６９は電子メールの受信を示すＬＥＤの点灯制御を行うＬＥＤ制御手段、７０は液晶等の表示手段、７１は電話番号等を入力するためのキー入力手段である。
【００２９】
以上のように構成されたコードレス電話システムにおいて図２６、図２７、図２８のフローチャートにしたがってその動作を説明する。図２６、図２７、図２８はそれぞれ実施の形態３記載のコードレス電話システムにおけるパソコン、親機、子機の動作フローチャートである。
【００３０】
まずユーザがパソコンにあらかじめメールを取得する時間を設定する。Ｓ５１でＰＣ制御手段５１はユーザが設定した時間経過するのを待つ。設定された時間が経過したら、Ｓ５２でプロバイダにダイヤルし、回線を接続する。プロバイダとの回線が接続されたら、Ｓ５３で届いているメールがあればメール受信手段５３でメールを取得し、Ｓ５４で取得した電子メールをメール記憶手段５４に保存し、Ｓ５５で未読の電子メールがメール記憶手段に保存されていることをデータ通信手段５５を使って親機へ通知する。未読メールの通知を行ったらＳ５１に戻って設定された時間が経過するのを待つ。
【００３１】
Ｓ５３でメールが届いていなかったらＳ５１へ戻って設定された時間が経過するのを待つ。Ｓ５１で待機中にＳ５６でユーザが受信してメール記憶手段５４に保存しておいたメールを読み出したら、メール記憶手段５４に未読メールの有無をデータ通信手段５５を使って親機へ通知し、Ｓ５１に戻る。また、Ｓ５１で待機中にＳ５７でデータ通信手段５５により親機からデータ要求の通知を受信したら、Ｓ５８でアドレス記憶手段５９に登録されたアドレスと、発信者検出手段５６により受信したメールから検出した発信者のアドレスを照合する。アドレスを照合した結果Ｓ５９で発信者のニックネームがあった場合、Ｓ６０でそのニックネームを音声データに変換してＳ６２でデータ通信手段５５により親機に送信する。Ｓ５８でアドレスを照合した結果Ｓ５９で発信者のニックネームがなかった場合、Ｓ６１で発信者のアドレスをそのまま音声データに変換して、Ｓ６２でデータ通信手段５５により親機に送信する。Ｓ６２でデータを送信した後はＳ５１の待機状態に戻る。
【００３２】
親機制御手段６０はＳ７１でパソコンからのデータの受信または公衆回線からの電話の着信をし、Ｓ７２で着信ソース検出手段６３がパソコンからのデータの受信であることを検出したら、Ｓ７３で音声／データ識別手段６４によりその受信データが音声データであるか否かを識別し、音声データであればＳ７４で音声に変換して、Ｓ７５で無線部６５より音声信号として子機に送信し、Ｓ７１の待機状態に戻る。Ｓ７３で音声／データ識別手段６４によりその受信データが音声データであるか否かを識別し、音声データでなければＳ７６で受信したデータから未読メールの有無を認識してＳ７７でそのデータに応じたＬＥＤ点灯または消灯のコマンドを発行する。発行されたコマンドデータはＳ７８で無線部６５から無線データに変換して送信する。Ｓ７２で着信ソース検出手段６３が公衆回線からの電話の着信であることを検出したら、Ｓ８０で電話の着信通知を子機に対して送信する。Ｓ８２で子機のオフフックを確認したら、Ｓ８３で回線を接続して通話状態にする。Ｓ８４でオンフックを確認したら、Ｓ８５で回線を切断してＳ７１の待機状態に戻る。Ｓ７１で待機中に子機からのデータの要求を受信したら、Ｓ８０でパソコンに対してデータを要求するコマンドをデータ通信手段６１により送信する。
【００３３】
子機制御手段６４はＳ８１で着信を検出したら、Ｓ８２で音声であるかデータであるかを音声／データ識別手段６８により識別し、音声であればＳ８６で音声出力手段６７より出力し、Ｓ８１の着信待機状態に戻る。Ｓ８２で音声であるかデータであるかを音声／データ識別手段６８により識別し、音声でなければＳ８３でその着信がコマンドデータか電話かを検出して、親機からのコマンドデータであればＳ８４でそのコマンドを認識して、Ｓ８５でＬＥＤ制御手段６９によりＬＥＤを点灯または消灯する。Ｓ８３で電話の着信であることを検出したら、Ｓ８９でベルを鳴らしユーザに電話の着信を通知する。Ｓ９０でキー入力手段７１の通話キーが押されたことを検出したら、Ｓ９１で親機に通知し通話状態にする。Ｓ９２でキー入力手段７１の切キーが押されたことを検出したら、Ｓ９３で親機に通知して回線を切断し、Ｓ８１の着信待機状態に戻る。
【００３４】
（実施の形態４）
以下、本発明の実施の形態４について、図１０、図８、図９の機能ブロック図と図２９、図２７、図２８のフローチャートを用いて説明する。
【００３５】
図１０は実施の形態４記載のコードレス電話システムにおけるパソコンの機能ブロック図である。なお、本実施の形態の基本的なシステム構成も、図４１に示す構成と同じである。
【００３６】
図１０において８１はパソコンの動作を制御するＰＣ制御手段、８２は公衆回線とのインターフェース、８３は電子メールをプロバイダから取得するメール受信手段、８４は受信したメールを保存するメール記憶手段、８５はコードレス電話の親機とデータのやり取りを行うデータ通信手段、８６は受信した電子メールのテキストデータを音声データに変換する音声データ変換手段、８７は予めアドレスと氏名や性別等の情報を保存しておくアドレス記憶手段、８８はアドレス記憶手段８９に登録されたアドレスと受信メールから検出した発信者のアドレスを照合するアドレス照合手段、９０は男性の声や女性の声や子供の声などの声質のデータを記憶する声質データ記憶手段である。
【００３７】
図８は実施の形態４記載のコードレス電話システムにおけるコードレス電話の親機の機能ブロック図である。図８において６０は親機の動作を制御する親機制御手段、６１はパソコンとのデータのやり取りを行うデータ通信手段、６２は公衆回線とのインターフェース、６３は着信が電話であるかパソコンからのデータであるかを検出する着信ソース検出手段、６４はパソコンから受信したデータが音声かデータかを識別する音声／データ識別手段、６５はデータや音声を無線で送受信する無線部である。
【００３８】
図９は実施の形態４記載のコードレス電話システムにおけるコードレス電話の子機の機能ブロック図である。図９において６４は子機の動作を制御する子機制御手段、６５はデータや音声を無線で送受信する無線部、６６はマイク等の音声入力手段、６７はスピーカ等の音声出力手段、６８は受信が音声かデータかを識別する音声／データ識別手段、６９は電子メールの受信を示すＬＥＤの点灯制御を行うＬＥＤ制御手段、７０は液晶等の表示手段、７１は電話番号等を入力するためのキー入力手段である。
【００３９】
図２９、図２７、図２８はそれぞれ実施の形態４記載のコードレス電話システムにおけるパソコン、親機、子機の動作フローチャートである。以上のように構成されたコードレス電話システムについて、これらのフローチャートにしたがってその動作を説明する。
【００４０】
まずユーザがパソコンにあらかじめメールを取得する時間を設定する。Ｓ１１１でＰＣ制御手段８１はユーザが設定した時間経過するのを待つ。設定された時間が経過したら、Ｓ１１２でプロバイダにダイヤルし、回線を接続する。プロバイダとの回線が接続されたら、Ｓ１１３で届いているメールがあればメール受信手段８３でメールを取得し、Ｓ１１４で取得した電子メールをメール記憶手段８４に保存し、Ｓ１１５で未読の電子メールがメール記憶手段に保存されていることをデータ通信手段８５を使って親機へ通知する。未読メールの通知を行ったらＳ１１１に戻って設定された時間が経過するのを待つ。Ｓ１１３でメールが届いていなかったらＳ１１１へ戻って設定された時間が経過するのを待つ。Ｓ１１１で待機中にＳ１１６でユーザが受信してメール記憶手段５４に保存しておいたメールを読み出したら、メール記憶手段８４に未読メールの有無をデータ通信手段８５を使って親機へ通知し、Ｓ１１１に戻る。また、Ｓ１１１で待機中にＳ１１７でデータ通信手段８５により親機からデータ要求の通知を受信したら、Ｓ１１８で受信した電子メールの発信者のアドレスを検出して、Ｓ１１９アドレス記憶手段８７に登録されたアドレスと、受信したメールから検出した発信者のアドレスを照合し、発信者の情報を得る。Ｓ２０で得られた発信者の情報と声質データ記憶手段８９に登録された声質データから適当な声質を選択し、Ｓ１２１で受信した電子メールのテキストデータを選択した声質の音声データに変換して、Ｓ１２２でデータ通信手段８５により親機に送信する。Ｓ１２２でデータを送信した後はＳ１１１の待機状態に戻る。
【００４１】
親機制御手段６０はＳ７１でパソコンからのデータの受信または公衆回線からの電話の着信をし、Ｓ７２で着信ソース検出手段６３がパソコンからのデータの受信であることを検出したら、Ｓ７３で音声／データ識別手段６４によりその受信データが音声データであるか否かを識別し、音声データであればＳ７４で音声に変換して、Ｓ７５で無線部６５より音声信号として子機に送信し、Ｓ７１の待機状態に戻る。Ｓ７３で音声／データ識別手段６４によりその受信データが音声データであるか否かを識別し、音声データでなければＳ７６で受信したデータから未読メールの有無を認識してＳ７７でそのデータに応じたＬＥＤ点灯または消灯のコマンドを発行する。発行されたコマンドデータはＳ７８で無線部６５から無線データに変換して送信する。Ｓ７２で着信ソース検出手段６３が公衆回線からの電話の着信であることを検出したら、Ｓ８０で電話の着信通知を子機に対して送信する。Ｓ８２で子機のオフフックを確認したら、Ｓ８３で回線を接続して通話状態にする。Ｓ８４でオンフックを確認したら、Ｓ８５で回線を切断してＳ７１の待機状態に戻る。Ｓ７１で待機中に子機からのデータの要求を受信したら、Ｓ８０でパソコンに対してデータを要求するコマンドをデータ通信手段６１により送信する。
【００４２】
子機制御手段６４はＳ８１で着信を検出したら、Ｓ８２で音声であるかデータであるかを音声／データ識別手段６８により識別し、音声であればＳ８６で音声出力手段６７より出力し、Ｓ８１の着信待機状態に戻る。Ｓ８２で音声であるかデータであるかを音声／データ識別手段６８により識別し、音声でなければＳ８３でその着信がコマンドデータか電話かを検出して、親機からのコマンドデータであればＳ８４でそのコマンドを認識して、Ｓ８５でＬＥＤ制御手段６９によりＬＥＤを点灯または消灯する。Ｓ８３で電話の着信であることを検出したら、Ｓ８９でベルを鳴らしユーザに電話の着信を通知する。Ｓ９０でキー入力手段７１の通話キーが押されたことを検出したら、Ｓ９１で親機に通知し通話状態にする。Ｓ９２でキー入力手段７１の切キーが押されたことを検出したら、Ｓ９３で親機に通知して回線を切断し、Ｓ８１の着信待機状態に戻る。
【００４３】
（実施の形態５）
以下、本発明の実施の形態５について、図１１、図８、図９の機能ブロック図と図３０、図２７、図２８のフローチャートを用いて説明する。図１１は実施の形態５記載のコードレス電話システムにおけるパソコンの機能ブロック図である。なお、本実施の形態の基本的なシステム構成も、図４１に示す構成と同じである。
【００４４】
図１１において９１はパソコンの動作を制御するＰＣ制御手段、９２は公衆回線とのインターフェース、９３は電子メールをプロバイダから取得するメール受信手段、９４は受信したメールを保存するメール記憶手段、９５はコードレス電話の親機とデータのやり取りを行うデータ通信手段、９６は受信した電子メールから宛先を検出する宛先検出手段、９７はテキストデータを音声データに変換する音声データ変換手段、９８は受信したメールの件数をカウントするメールカウント手段である。
【００４５】
図８は実施の形態５記載のコードレス電話システムにおけるコードレス電話の親機の機能ブロック図である。図８において６０は親機の動作を制御する親機制御手段、６１はパソコンとのデータのやり取りを行うデータ通信手段、６２は公衆回線とのインターフェース、６３は着信が電話であるかパソコンからのデータであるかを検出する着信ソース検出手段、６４はパソコンから受信したデータが音声かデータかを識別する音声／データ識別手段、６５はデータや音声を無線で送受信する無線部である。
【００４６】
図９は実施の形態５記載のコードレス電話システムにおけるコードレス電話の子機の機能ブロック図である。図９において６４は子機の動作を制御する子機制御手段、６５はデータや音声を無線で送受信する無線部、６６はマイク等の音声入力手段、６７はスピーカ等の音声出力手段、６８は受信が音声かデータかを識別する音声／データ識別手段、６９は電子メールの受信を示すＬＥＤの点灯制御を行うＬＥＤ制御手段、７０は液晶等の表示手段、７１は電話番号等を入力するためのキー入力手段である。
【００４７】
以上のように構成されたコードレス電話システムにおいて図３０、図２７、図２８のフローチャートにしたがってその動作を説明する。
【００４８】
図３０、図２７、図２８はそれぞれ実施の形態５記載のコードレス電話システムにおけるパソコン、親機、子機の動作フローチャートである。
【００４９】
まずユーザがパソコンにあらかじめメールを取得する時間を設定する。
【００５０】
Ｓ１３１でＰＣ制御手段９１はユーザが設定した時間経過するのを待つ。設定された時間が経過したら、Ｓ１３２でプロバイダにダイヤルし、回線を接続する。プロバイダとの回線が接続されたら、Ｓ１３３で届いているメールがあればメール受信手段９３でメールを取得し、Ｓ１３４で取得した電子メールをメール記憶手段９４に保存する。受信メールを保存したら、Ｓ１３５で受信したメールから宛先検出手段９６により宛先を検出し、Ｓ１３６でメールカウント手段９８により宛先別にメールの数をカウントする。Ｓ１３７で宛先未検出のメールがあればＳ１３５に戻り宛先検出とメールのカウントを繰り返す。Ｓ１３７で宛先未検出のメールがなくなったら、Ｓ１３８で未読の電子メールがメール記憶手段に保存されていることをデータ通信手段９５を使って親機へ通知する。未読メールの通知を行ったらＳ１３１に戻って設定された時間が経過するのを待つ。Ｓ１３３でメールが届いていなかったらＳ１３１へ戻って設定された時間が経過するのを待つ。Ｓ１３１で待機中にＳ１３９でユーザが受信してメール記憶手段９４に保存しておいたメールを読み出したら、メール記憶手段９４に未読メールの有無をデータ通信手段９５を使って親機へ通知し、Ｓ１３１に戻る。また、Ｓ１３１で待機中にＳ１４０でデータ通信手段９５により親機からデータ要求の通知を受信したら、Ｓ１４１で未読メールの宛先と宛先別の未読メールの件数を音声データに変換し、Ｓ１４２でデータ通信手段９５により親機に送信する。Ｓ１４２でデータを送信した後はＳ５１の待機状態に戻る。
【００５１】
親機制御手段６０はＳ７１でパソコンからのデータの受信または公衆回線からの電話の着信をし、Ｓ７２で着信ソース検出手段６３がパソコンからのデータの受信であることを検出したら、Ｓ７３で音声／データ識別手段６４によりその受信データが音声データであるか否かを識別し、音声データであればＳ７４で音声に変換して、Ｓ７５で無線部６５より音声信号として子機に送信し、Ｓ７１の待機状態に戻る。Ｓ７３で音声／データ識別手段６４によりその受信データが音声データであるか否かを識別し、音声データでなければＳ７６で受信したデータから未読メールの有無を認識してＳ７７でそのデータに応じたＬＥＤ点灯または消灯のコマンドを発行する。発行されたコマンドデータはＳ７８で無線部６５から無線データに変換して送信する。Ｓ７２で着信ソース検出手段６３が公衆回線からの電話の着信であることを検出したら、Ｓ８０で電話の着信通知を子機に対して送信する。Ｓ８２で子機のオフフックを確認したら、Ｓ８３で回線を接続して通話状態にする。Ｓ８４でオンフックを確認したら、Ｓ８５で回線を切断してＳ７１の待機状態に戻る。Ｓ７１で待機中に子機からのデータの要求を受信したら、Ｓ８０でパソコンに対してデータを要求するコマンドをデータ通信手段６１により送信する。
【００５２】
子機制御手段６４はＳ８１で着信を検出したら、Ｓ８２で音声であるかデータであるかを音声／データ識別手段６８により識別し、音声であればＳ８６で音声出力手段６７より出力し、Ｓ８１の着信待機状態に戻る。Ｓ８２で音声であるかデータであるかを音声／データ識別手段６８により識別し、音声でなければＳ８３でその着信がコマンドデータか電話かを検出して、親機からのコマンドデータであればＳ８４でそのコマンドを認識して、Ｓ８５でＬＥＤ制御手段６９によりＬＥＤを点灯または消灯する。Ｓ８３で電話の着信であることを検出したら、Ｓ８９でベルを鳴らしユーザに電話の着信を通知する。Ｓ９０でキー入力手段７１の通話キーが押されたことを検出したら、Ｓ９１で親機に通知し通話状態にする。Ｓ９２でキー入力手段７１の切キーが押されたことを検出したら、Ｓ９３で親機に通知して回線を切断し、Ｓ８１の着信待機状態に戻る。
【００５３】
（実施の形態６）
以下、本発明の実施の形態６における実施の形態について、図１２、図１３、図１４の機能ブロック図と図３１、図２２、図３２のフローチャートを用いて説明する。なお、本実施の形態の基本的なシステム構成も、図４１に示す構成と同じである。
【００５４】
図１２は実施の形態６記載のコードレス電話システムにおけるパソコンの機能ブロック図である。図１２において１０１はパソコンの動作を制御するＰＣ制御手段、１０２は公衆回線とのインターフェース、１０３は電子メールをプロバイダから取得するメール受信手段、１０４は受信したメールを保存するメール記憶手段、１０５はコードレス電話の親機とデータのやり取りを行うデータ通信手段、１０６は受信した電子メールの数をカウントするメールカウント手段である。
【００５５】
図１３は実施の形態６記載のコードレス電話システムにおけるコードレス電話の親機の機能ブロック図である。図１３において１１１は親機の動作を制御する親機制御手段、１１２はパソコンとのデータのやり取りを行うデータ通信手段、１１３は公衆回線とのインターフェース、１１４は着信が電話であるかパソコンからのデータであるかを検出する着信ソース検出手段、１１５は子機やパソコンに対してコマンドを選択し発行するコマンド発行手段、１１６はデータや音声を無線で送受信する無線部である。
【００５６】
図１４は実施の形態６記載のコードレス電話システムにおけるコードレス電話の子機の機能ブロック図である。図１４において１２１は子機の動作を制御する子機制御手段、１２２はデータや音声を無線で送受信する無線部、１２３はマイク等の音声入力手段、１２４はスピーカ等の音声出力手段、１２５は液晶等の表示手段、１２６は電話番号等を入力するためのキー入力手段である。
【００５７】
図３１、図２２、図３２はそれぞれ実施の形態６記載のコードレス電話システムにおけるパソコン、親機、子機の動作フローチャートである。以上のように構成されたコードレス電話システムについて、これらのフローチャートにしたがってその動作を説明する。
するためのキー入力手段である。
【００５８】
まずユーザがパソコンにあらかじめメールを取得する時間を設定する。Ｓ１５１でＰＣ制御手段１０１はユーザが設定した時間経過するまで待機して待つ。設定された時間が経過したら、Ｓ１５２でプロバイダにダイヤルし、回線を接続する。プロバイダとの回線が接続されたら、Ｓ１５３で届いているメールがあればメール受信手段１０３でメールを取得し、Ｓ１５４で取得した電子メールをメール記憶手段１０４に保存する。Ｓ１５５でメールカウント手段１０６により受信した電子メールの数をカウントし、Ｓ１５６で未読のメール数をデータ通信手段１０５を使って親機へ通知する。未読メール数の通知を行ったら、Ｓ１５１に戻って設定された時間が経過するのを待つ。Ｓ１５３でメールが届いていなかったらＳ１５１へ戻って設定された時間が経過するのを待つ。Ｓ１５１で待機中にＳ１５７でユーザが受信したメールを読み出したら、メール記憶手段１０４に未読メールの数をデータ通信手段１０５を使って親機へ通知し、Ｓ１５１に戻る。
【００５９】
親機制御手段１１１はＳ１１でパソコンからのデータの受信または公衆回線からの電話の着信をし、Ｓ１２で着信ソース検出手段１１４がパソコンからのデータの受信であることを検出したら、Ｓ１３で受信したデータから未読メールの数を認識してＳ１４でコマンド発行手段１１５によりその数と同じ数字の子機のダイヤルキーに設けられたＬＥＤの点灯、消灯のコマンドを発行する。発行されたコマンドデータはＳ１５で無線部１１６から無線データに変換して送信する。Ｓ１２で着信ソース検出手段１１４が公衆回線からの電話の着信であることを検出したら、Ｓ１６で電話の着信通知を子機に対して送信する。Ｓ１７で子機のオフフックを確認したら、回線を接続して通話状態にする。Ｓ１９でオンフックをを確認したら、回線を切断してＳ１１の待機状態に戻る。
【００６０】
子機制御手段１２１はＳ１６１で着信をしたら、Ｓ１６２でその着信がコマンドデータか電話かを検出して、親機からのコマンドデータであればＳ１６３でそのコマンドの内容を認識して、Ｓ１６４で点灯するＬＥＤを選択して、Ｓ１６５で選択したＬＥＤをＬＥＤ制御手段により点灯させ、Ｓ１６１の着信待機状態に戻る。Ｓ１６２で電話の着信であることを検出したら、Ｓ１６６でベルを鳴らしユーザに電話の着信を通知する。Ｓ１６７でキー入力手段１２６の通話キーが押されたことを検出したら、Ｓ１６８で親機に通知し通話状態にする。Ｓ１６９でキー入力手段１２６の切キーが押されたことを検出したら、Ｓ１７０で親機に通知し回線を切断し、Ｓ１６１の着信待機状態に戻る。
【００６１】
（実施の形態７）
以下、本発明の実施の形態７について、図１、図２、図１５の機能ブロック図と図３３、図２２、図３４のフローチャートを用いて説明する。図１は実施の形態７記載のコードレス電話システムにおけるパソコンの機能ブロック図である。なお、本実施の形態の基本的なシステム構成も、図４１に示す構成と同じである。
【００６２】
図１において１はパソコンの動作を制御するＰＣ制御手段、２は公衆回線とのインターフェース、３は電子メールをプロバイダから取得するメール受信手段、４は受信したメールを保存するメール記憶手段、５はコードレス電話の親機とデータのやり取りを行うデータ通信手段である。
【００６３】
図２は実施の形態７記載のコードレス電話システムにおけるコードレス電話の親機の機能ブロック図である。図２において６は親機の動作を制御する親機制御手段、７はパソコンとのデータのやり取りを行うデータ通信手段、８は公衆回線とのインターフェース、９は着信が電話であるかパソコンからのデータであるかを検出する着信ソース検出手段、１０はデータや音声を無線で送受信する無線部である。
【００６４】
図１５は実施の形態７のコードレス電話システムにおけるコードレス電話の子機の機能ブロック図である。図１５において１３１は子機の動作を制御する子機制御手段、１３２はデータや音声を無線で送受信する無線部、１３３はマイク等の音声入力手段、１３４はスピーカ等の音声出力手段、１３５は液晶等の表示手段、１３６は電話番号等を入力するためのキー入力手段、１３７は電子メールの受信を示すベル音を発生させるベル音発生手段である。
【００６５】
図３３、図２２、図３４はそれぞれ実施の形態７記載のコードレス電話システムにおけるパソコン、親機、子機の動作フローチャートである。以上のように構成されたコードレス電話システムについて、これらのフローチャートにしたがってその動作を説明する。
【００６６】
まずユーザがパソコンにあらかじめメールを取得する時間を設定する。Ｓ１７１でＰＣ制御手段１はユーザが設定した時間経過するのを待つ。設定された時間が経過したら、Ｓ１７２でプロバイダにダイヤルし、回線を接続する。プロバイダとの回線が接続されたら、届いているメールがあればＳ１７３でメール受信手段３によりメールを取得して、Ｓ１７４で取得した電子メールをメール記憶手段４に保存し、Ｓ１７５でデータ通信手段５により電子メールを受信したことを親機に通知する。メールの受信通知を行ったらＳ１７１に戻って設定された時間が経過するのを待つ。Ｓ１７３でメールが届いていなかったらＳ１７１へ戻って設定された時間が経過するのを待つ。
【００６７】
親機制御手段６はＳ１１でパソコンからのデータの受信または公衆回線からの電話の着信し、Ｓ１２で着信ソース検出手段９がパソコンからのデータの受信であることを検出したら、Ｓ１３で受信したデータから電子メールを受信したことを認識して、Ｓ１４で子機に対してメール受信通知データを送信する。送信されたデータはＳ１５で無線部１０から無線データに変換して送信する。Ｓ１２で着信ソース検出手段９が公衆回線からの電話の着信であることを検出したら、Ｓ１６で電話の着信通知を子機に対して送信する。Ｓ１７で子機のオフフックを確認したら、回線を接続して通話状態にする。Ｓ１９でオンフックをを確認したら、回線を切断してＳ１１の待機状態に戻る。
【００６８】
子機制御手段１３１はＳ１８１で着信をしたら、Ｓ１８２でその着信がメールの受信通知データか電話かを検出して、親機からのメールの受信通知データであればＳ１８３でベル音発生手段１３７によりメール受信通知用のベルを鳴らす。Ｓ１８４でキー入力手段１３６により”切”キーが押されたことを検出したら、ベルを止めＳ１８１の着信待機状態に戻る。Ｓ１８２で電話の着信であることを検出したら、Ｓ１８５でベルを鳴らしユーザに電話の着信を通知する。Ｓ１８６でキー入力手段１３６の”通話”キーが押されたことを検出したら、Ｓ１８７で親機に通知し通話状態にする。Ｓ１８８でキー入力手段１３６の”切”キーが押されたことを検出したら、Ｓ１８９で親機に通知して回線を切断し、Ｓ１８１の着信待機状態に戻る。
【００６９】
（実施の形態８）
以下、本発明の実施の形態８について、図１６、図２、図１７の機能ブロック図と図３５、図２２、図３６のフローチャートを用いて説明する。
【００７０】
図１６は実施の形態８記載のコードレス電話システムにおけるパソコンの機能ブロック図である。なお、本実施の形態の基本的なシステム構成も、図４１に示す構成と同じである。
【００７１】
図１６において１４１はパソコンの動作を制御するＰＣ制御手段、１４２は公衆回線とのインターフェース、１４３は電子メールをプロバイダから取得するメール受信手段、１４４は受信したメールを保存するメール記憶手段、１４５はコードレス電話の親機とデータのやり取りを行うデータ通信手段、１４６は受信した電子メールから重要度を識別する重要度識別手段である。
【００７２】
図２は実施の形態８記載のコードレス電話システムにおけるコードレス電話の親機の機能ブロック図である。図２において６は親機の動作を制御する親機制御手段、７はパソコンとのデータのやり取りを行うデータ通信手段、８は公衆回線とのインターフェース、９は着信が電話であるかパソコンからのデータであるかを検出する着信ソース検出手段、１０はデータや音声を無線で送受信する無線部である。
【００７３】
図１７は実施の形態８記載のコードレス電話システムにおけるコードレス電話の子機の機能ブロック図である。図１７において１５１は子機の動作を制御する子機制御手段、１５２はデータや音声を無線で送受信する無線部、１５３はマイク等の音声入力手段、１５４はスピーカ等の音声出力手段、１５５は電子メールの受信を示すベル音を発生させるベル音発生手段、１５６は電話番号等を入力するためのキー入力手段、１５７は液晶等の表示手段、１５８は複数のベル音のパターンデータを保存したベル音パターン記憶手段、１５９は電子メールの重要度に応じてベル音パターン記憶手段１５８から鳴らすベル音のパターンを選択するベル音選択手段である。
【００７４】
図３５、図２２、図３６はそれぞれ実施の形態８記載のコードレス電話システムにおけるパソコン、親機、子機の動作フローチャートである。以上のように構成されたコードレス電話システムについて、これらのフローチャートにしたがってその動作を説明する。
【００７５】
まずユーザがパソコンにあらかじめメールを取得する時間を設定する。Ｓ１９１でＰＣ制御手段１４１はユーザが設定した時間経過するのを待つ。設定された時間が経過したら、Ｓ１９２でプロバイダにダイヤルし、回線を接続する。プロバイダとの回線が接続されたら、Ｓ１９３で届いているメールがあればメール受信手段１４３によりメールを取得して、Ｓ１９４で取得した電子メールをメール記憶手段１４４に保存し、Ｓ１９５で重要度識別手段１４６により受信した電子メールの重要度を検出して、Ｓ１９６で電子メールの受信通知および重要度のデータをデータ通信手段１４５により通知を行う。受信通知を行ったらＳ１９１に戻って設定された時間が経過するのを待つ。Ｓ１９３でメールが届いていなかったらＳ１９１へ戻って設定された時間が経過するのを待つ。
【００７６】
親機制御手段６はＳ１１でパソコンからのデータの受信または公衆回線からの電話の着信し、Ｓ１２で着信ソース検出手段９がパソコンからのデータの受信であることを検出したら、Ｓ１３でパソコンから受信したデータから電子メールの受信とその重要度を認識して、Ｓ１４で子機に対してメール受信通知およびその重要度に応じたコマンドを子機に対して発行する。発行されたデータはＳ１５で無線部１０から無線データに変換して送信する。Ｓ１２で着信ソース検出手段９が公衆回線からの電話の着信であることを検出したら、Ｓ１６で電話の着信通知を子機に対して送信する。Ｓ１７で子機のオフフックを確認したら、回線を接続して通話状態にする。Ｓ１９でオンフックをを確認したら、回線を切断してＳ１１の待機状態に戻る。
【００７７】
子機制御手段１５１はＳ２０１で着信をしたら、Ｓ２０２でその着信がメールの受信通知データか電話かを識別して、親機からのメールの受信通知データであればＳ２０３で受信したコマンドを認識して、Ｓ２０４でベル音選択手段１５９によりベル音パターン記憶手段１５８の登録されているベルのパターンから１つのパターンを選択し、Ｓ２０５でベル音発生手段１５５により選択したパターンのベル音を鳴らす。Ｓ２０６でキー入力手段１５６により”切”キーが押されたことを検出したら、ベルを止めＳ２０１の着信待機状態に戻る。Ｓ２０２で電話の着信であることを検出したら、Ｓ２０７でベルを鳴らしユーザに電話の着信を通知する。Ｓ２０８でキー入力手段１５６の”通話”キーが押されたことを検出したら、Ｓ２０９で親機に通知し通話状態にする。Ｓ２１０でキー入力手段１５６の”切”キーが押されたことを検出したら、Ｓ２１１で親機に通知して回線を切断し、Ｓ２０１の着信待機状態に戻る。
【００７８】
（実施の形態９）
以下、本発明の実施の形態９について、図１８、図２、図１７の機能ブロック図と図３７、図２２、図３６のフローチャートを用いて説明する。
【００７９】
図１８は実施の形態９記載のコードレス電話システムにおけるパソコンの機能ブロック図である。なお、本実施の形態の基本的なシステム構成も、図４１に示す構成と同じである。
【００８０】
図１８において１６１はパソコンの動作を制御するＰＣ制御手段、１６２は公衆回線とのインターフェース、１６３は電子メールをプロバイダから取得するメール受信手段、１６４は受信したメールを保存するメール記憶手段、１６５はコードレス電話の親機とデータのやり取りを行うデータ通信手段、１６６は受信した電子メールから宛先を識別する宛先識別手段である。
【００８１】
図２は実施の形態９記載のコードレス電話システムにおけるコードレス電話の親機の機能ブロック図である。図２において６は親機の動作を制御する親機制御手段、７はパソコンとのデータのやり取りを行うデータ通信手段、８は公衆回線とのインターフェース、９は着信が電話であるかパソコンからのデータであるかを検出する着信ソース検出手段、１０はデータや音声を無線で送受信する無線部である。
【００８２】
図１７は実施の形態９記載のコードレス電話システムにおけるコードレス電話の子機の機能ブロック図である。図１７において１５１は子機の動作を制御する子機制御手段、１５２はデータや音声を無線で送受信する無線部、１５３はマイク等の音声入力手段、１５４はスピーカ等の音声出力手段、１５５は電子メールの受信を示すベル音を発生させるベル音発生手段、１５６は電話番号等を入力するためのキー入力手段、１５７は液晶
等の表示手段、１５８は複数のベル音のパターンデータを保存したベル音パターン記憶手段、１５９は電子メールの宛先に応じてベル音パターン記憶手段１５８から鳴らすベル音のパターンを選択するベル音選択手段である。
【００８３】
図３７、図２２、図３６はそれぞれ実施の形態９記載のコードレス電話システムにおけるパソコン、親機、子機の動作フローチャートである。以上のように構成されたコードレス電話システムについて、これらのフローチャートにしたがってその動作を説明する。
【００８４】
まずユーザがパソコンにあらかじめメールを取得する時間を設定する。Ｓ２２１でＰＣ制御手段１６１はユーザが設定した時間経過するのを待つ。設定された時間が経過したら、Ｓ２２２でプロバイダにダイヤルし、回線を接続する。プロバイダとの回線が接続されたら、Ｓ２２３で届いているメールがあればメール受信手段１６３によりメールを取得して、Ｓ２２４で取得した電子メールをメール記憶手段１６４に保存し、Ｓ２２５で宛先識別手段１６６により受信した電子メールの宛先を検出して、Ｓ２２６で電子メールの受信通知および宛先のデータをデータ通信手段１６５により通知を行う。受信通知を行ったらＳ２２１に戻って設定された時間が経過するのを待つ。Ｓ２２３でメールが届いていなかったらＳ２２１へ戻って設定された時間が経過するのを待つ。
【００８５】
親機制御手段６はＳ１１でパソコンからのデータの受信または公衆回線からの電話の着信し、Ｓ１２で着信ソース検出手段９がパソコンからのデータの受信であることを検出したら、Ｓ１３でパソコンから受信したデータから電子メールの受信とその宛先を認識して、Ｓ１４で子機に対してメール受信通知およびその宛先に応じたコマンドを子機に対して発行する。発行されたデータはＳ１５で無線部１０から無線データに変換して送信する。Ｓ１２で着信ソース検出手段９が公衆回線からの電話の着信であることを検出したら、Ｓ１６で電話の着信通知を子機に対して送信する。Ｓ１７で子機のオフフックを確認したら、回線を接続して通話状態にする。Ｓ１９でオンフックをを確認したら、回線を切断してＳ１１の待機状態に戻る。
【００８６】
子機制御手段１５１はＳ２０１で着信をしたら、Ｓ２０２でその着信がメールの受信通知データか電話かを識別して、親機からのメールの受信通知データであればＳ２０３で受信したコマンドを認識して、Ｓ２０４でベル音選択手段１５９によりベル音パターン記憶手段１５８の登録されているベルのパターンから１つのパターンを選択し、Ｓ２０５でベル音発生手段１５５により選択したパターンのベル音を鳴らす。Ｓ２０６でキー入力手段１５６により”切”キーが押されたことを検出したら、ベルを止めＳ２０１の着信待機状態に戻る。Ｓ２０２で電話の着信であることを検出したら、Ｓ２０７でベルを鳴らしユーザに電話の着信を通知する。Ｓ２０８でキー入力手段１５６の”通話”キーが押されたことを検出したら、Ｓ２０９で親機に通知し通話状態にする。Ｓ２１０でキー入力手段１５６の”切”キーが押されたことを検出したら、Ｓ２１１で親機に通知して回線を切断し、Ｓ２０１の着信待機状態に戻る。
【００８７】
（実施の形態１０）
以下、本発明の実施の形態１０について、図１９、図２０、図１４の機能ブロック図と図３８、図３９、図４０のフローチャートを用いて説明する。図１９は実施の形態１０記載のコードレス電話システムにおけるパソコンの機能ブロック図である。なお、本実施の形態の基本的なシステム構成も、図４１に示す構成と同じである。
【００８８】
図１９において１７１はパソコンの動作を制御するＰＣ制御手段、１７２は公衆回線とのインターフェース、１７３は電子メールをプロバイダから取得するメール受信手段、１７４は受信したメールを保存するメール記憶手段、１７５はコードレス電話の親機とデータのやり取りを行うデータ通信手段、１７６は受信した電子メールのテキストデータを音声データに変換する音声変換手段である。
【００８９】
図２０は実施の形態１０記載のコードレス電話システムにおけるコードレス電話の親機の機能ブロック図である。
【００９０】
図２０において１８１は親機の動作を制御する親機制御手段、１８２はパソコンとのデータのやり取りを行うデータ通信手段、１８３は公衆回線とのインターフェース、１８４は着信が電話であるかパソコンからのデータであるかを検出する着信ソース検出手段、１
８５は音声を録音する音声録音手段、１８６は音声データを保存する音声保存手段、１８７は録音された音声データを再生する音声再生手段、１８８はデータや音声を無線で送受信する無線部である。
【００９１】
図１４は実施の形態１０記載のコードレス電話システムにおけるコードレス電話の子機の機能ブロック図である。図１４において１２１は子機の動作を制御する子機制御手段、１２２はデータや音声を無線で送受信する無線部、１２３はマイク等の音声入力手段、１２４はスピーカ等の音声出力手段、１２５は液晶等の表示手段、１２６は電話番号等を入力するためのキー入力手段である。
【００９２】
図３８、図３９、図４０はそれぞれ実施の形態１０記載のコードレス電話システムにおけるパソコン、親機、子機の動作フローチャートである。以上のように構成されたコードレス電話システムについて、これらのフローチャートにしたがってその動作を説明する。
【００９３】
まずユーザがパソコンにあらかじめメールを取得する時間を設定する。Ｓ２３１でＰＣ制御手段１７１はユーザが設定した時間経過するのを待つ。設定された時間が経過したら、Ｓ２３２でプロバイダにダイヤルし、回線を接続する。プロバイダとの回線が接続されたら、Ｓ２３３で届いているメールがあればメール受信手段１７３でメールを取得し、Ｓ２３４で取得した電子メールをメール記憶手段１７４に保存し、Ｓ２３５で電子メールを受信したことをデータ通信手段１７５を使って親機へ通知する。メール受信の通知を行ったらＳ２３１に戻って設定された時間が経過するのを待つ。Ｓ２３３でメールが届いていなかったらＳ２３１へ戻って設定された時間が経過するのを待つ。Ｓ２３１で待機中にＳ２３６でデータ通信手段１７５により親機からデータ要求の通知を受信したら、Ｓ２３７で受信してメール記憶手段１７４に保存しているメールのテキストデータを、テキスト音声変換手段１７６により音声に変換し、Ｓ２３８でデータ通信手段１７５により親機に送信する。Ｓ２１８でデータを送信した後はＳ２３１の待機状態に戻る。
【００９４】
親機制御手段１８１はＳ２４１でパソコンからのデータの受信または公衆回線からの電話の着信をし、パソコンからのメール受信通知のデータであることを認識したら、Ｓ２４２で録音待機状態に移行する。録音の準備ができたらＳ２４３でパソコンにデータを要求するコマンドをデータ通信手段１８２により送信する。その後Ｓ２４４でパソコンから音声データを受信したら、Ｓ２４５で音声録音手段１８５により音声保存手段１８６にデータを記録し、Ｓ２４６で子機に録音通知を行う。子機に通知したらＳ２４１の受信待機状態に戻る。Ｓ２４１で受信待機状態のとき、Ｓ２４７で子機から再生要求のデータを受信したら、Ｓ２４８で音声再生手段１８７により音声保存手段１８６に保存した音声を再生し、無線部１８８より子機に送信する。送信したらＳ２４１の受信待機状態に戻る。
【００９５】
Ｓ２４９で着信ソース検出手段１８４が公衆回線からの電話の着信であることを検出したら、Ｓ２５０で着呼に対して応答し、トーン信号で暗証番号を受信したら、Ｓ２４８で音声再生手段１８７により音声保存手段１８６に保存した音声を再生し、回線Ｉ／Ｆ１８３より音声を出力するする。出力したらＳ２４１の受信待機状態に戻る。Ｓ２５０で暗証番号を受信しなかったら、Ｓ２５１で電話の着信通知を子機に対して送信する。Ｓ２５２で子機のオフフックを確認したら、Ｓ２５３で回線を接続して通話状態にする。Ｓ２５４で子機のオンフックを確認したら、Ｓ２５５で回線を切断してＳ２４１の待機状態に戻る。
【００９６】
子機制御手段１２１はＳ２６１で着信をしたら、Ｓ２６２でその着信がコマンドデータか電話かを検出して、親機からのデータであればＳ２６３でそのデータの内容を確認して、録音通知であることを認識したらＳ２６４でＬＥＤをＬＥＤ制御手段１２７により点灯させ、Ｓ２６１の着信待機状態に戻る。Ｓ２６２で電話の着信であることを検出したら、Ｓ２６６でベルを鳴らしユーザに電話の着信を通知する。Ｓ２６７でキー入力手段１２６の”通話”キーが押されたことを検出したら、Ｓ２６８で親機に通知し通話状態にする。Ｓ２６９でキー入力手段１２６の”切”キーが押されたことを検出したら、Ｓ２７０で親機に通知し回線を切断し、Ｓ２６１の着信待機状態に戻る。Ｓ２６１の着信待機状態のときにＳ２７１でキー入力手段の”再生”キーが押されたことを検出したら、Ｓ２７２で親機に通知し、再生要求を送信する。Ｓ２７３で親機から音声データを受信したら音声出力手段より音声を出力する。音声の出力を終えたら、Ｓ２７５でＬＥＤを消灯しＳ２６１の着信待機状態に戻る。
【００９７】
【発明の効果】
以上の構成にすることにより、パソコンでの電子メールの受信状態をコードレス電話の子機に設けたＬＥＤを点灯させたり、ベル音を発生させることで、ユーザがパソコンの前にいなくても電子メールの受信を確認することができる。また、テキストデータを音声に変換して出力することにより、子機や外出先の電話で受信した電子メールの内容を確認できるようになった。
【図面の簡単な説明】
【図１】本発明の実施の形態１および実施の形態７に於けるのパソコンの機能ブロック図
【図２】本発明の実施の形態１，７，８，９に於ける親機の機能ブロック図
【図３】本発明の実施の形態１に於ける子機の機能ブロック図
【図４】本発明の実施の形態２に於けるパソコンの機能ブロック図
【図５】本発明の実施の形態２に於ける親機の機能ブロック図
【図６】本発明の実施の形態２に於ける子機の機能ブロック図
【図７】本発明の実施の形態３に於けるパソコンの機能ブロック図
【図８】本発明の実施の形態３，４，５に於ける親機の機能ブロック図
【図９】本発明の実施の形態３，４，５に於けるの子機の機能ブロック図
【図１０】本発明の実施の形態４に於けるパソコンの機能ブロック図
【図１１】本発明の実施の形態５に於けるパソコンの機能ブロック図
【図１２】本発明の実施の形態６に於けるパソコンの機能ブロック図
【図１３】本発明の実施の形態６に於ける親機の機能ブロック図
【図１４】本発明の実施の形態６，１０に於ける子機の機能ブロック図
【図１５】本発明の実施の形態７に於ける子機の機能ブロック図
【図１６】本発明の実施の形態８に於けるパソコンの機能ブロック図
【図１７】本発明の実施の形態８，９に於ける子機の機能ブロック図
【図１８】本発明の実施の形態９に於けるパソコンの機能ブロック図
【図１９】本発明の実施の形態１０に於けるパソコンの機能ブロック図
【図２０】本発明の実施の形態１０に於ける親機の機能ブロック図
【図２１】本発明の実施の形態１に於けるパソコンのフローチャート
【図２２】本発明の実施の形態１，２，６，７，８，９に於ける親機のフローチャート
【図２３】本発明の実施の形態１に於ける子機のフローチャート
【図２４】本発明の実施の形態２に於けるパソコンのフローチャート
【図２５】本発明の実施の形態２に於ける子機のフローチャート
【図２６】本発明の実施の形態３に於けるパソコンのフローチャート
【図２７】本発明の実施の形態３，４，５に於ける親機のフローチャート
【図２８】本発明の実施の形態３，４，５に於ける子機のフローチャート
【図２９】本発明の実施の形態４に於けるパソコンのフローチャート
【図３０】本発明の実施の形態５に於けるパソコンのフローチャート
【図３１】本発明の実施の形態６に於けるパソコンのフローチャート
【図３２】本発明の実施の形態６に於ける子機のフローチャート
【図３３】本発明の実施の形態７に於けるパソコンのフローチャート
【図３４】本発明の実施の形態７に於ける子機のフローチャート
【図３５】本発明の実施の形態８に於けるパソコンのフローチャート
【図３６】本発明の実施の形態８，９に於ける子機のフローチャート
【図３７】本発明の実施の形態９に於けるパソコンのフローチャート
【図３８】本発明の実施の形態１０に於けるパソコンのフローチャート
【図３９】本発明の実施の形態１０に於ける親機のフローチャート
【図４０】本発明の実施の形態１０に於ける子機のフローチャート
【図４１】本発明のシステム構成図
【符号の説明】
１  ＰＣ制御手段
２  インターフェース
３  メール受信手段
４  メール記憶手段
５  データ通信手段
６  親機制御手段
７  データ通信手段
８  インターフェース
９  着信ソース検出手段
１０  無線部
１１  子機制御手段
１２  無線部
１３  音声入力手段
１４  音声出力手段
１５  ＬＥＤ制御手段
１６  表示手段
１７  キー入力手段
４００  公衆回線
４０１  パソコン（ＰＣ）
４０２  親機
４０３  子機
【図１】
0004380025.tif 000002
【図２】
0004380025.tif 000003
【図３】
0004380025.tif 000004
【図４】
0004380025.tif 000005
【図５】
0004380025.tif 000006
【図６】
0004380025.tif 000007
【図７】
0004380025.tif 000008
【図８】
0004380025.tif 000009
【図９】
0004380025.tif 000010
【図１０】
0004380025.tif 000011
【図１１】
0004380025.tif 000012
【図１２】
0004380025.tif 000013
【図１３】
0004380025.tif 000014
【図１４】
0004380025.tif 000015
【図１５】
0004380025.tif 000016
【図１６】
0004380025.tif 000017
【図１７】
0004380025.tif 000018
【図１８】
0004380025.tif 000019
【図１９】
0004380025.tif 000020
【図２０】
0004380025.tif 000021
【図２１】
0004380025.tif 000022
【図２２】
0004380025.tif 000023
【図２３】
0004380025.tif 000024
【図２４】
0004380025.tif 000025
【図２５】
0004380025.tif 000026
【図２６】
0004380025.tif 000027
【図２７】
0004380025.tif 000028
【図２８】
0004380025.tif 000029
【図２９】
0004380025.tif 000030
【図３０】
0004380025.tif 000031
【図３１】
0004380025.tif 000032
【図３２】
0004380025.tif 000033
【図３３】
0004380025.tif 000034
【図３４】
0004380025.tif 000035
【図３５】
0004380025.tif 000036
【図３６】
0004380025.tif 000037
【図３７】
0004380025.tif 000038
【図３８】
0004380025.tif 000039
【図３９】
0004380025.tif 000040
【図４０】
0004380025.tif 000041
【図４１】
0004380025.tif 000042